(57)【要約】【課題】内容物を外部から視認しにくくすることが可能であり、かつ製造コストを好適に抑えることが可能な包装袋を提供する。【解決手段】包装袋を、光の少なくとも一部を透過する材質で形成された包装袋であって、内容物を収納する本体部を有し、本体部の表面には模様が付されており、模様は、本体部の底部に近いほど遮光性が高く、本体部の底部から遠くなるほど遮光性が低くなるように構成されている包装袋とする。【選択図】図１Ａ
2016132486.tif 000002
【特許請求の範囲】
【請求項１】
光の少なくとも一部を透過する材質で形成された包装袋であって、
内容物を収納する本体部を有し、
前記本体部の表面には模様が付されており、前記模様は、前記本体部の底部に近いほど遮光性が高く、前記本体部の底部から遠くなるほど遮光性が低くなるように構成されている
包装袋。
【請求項２】
前記模様は、所定の図形を構成単位として、前記本体部の底部に近いほど、前記図形が前記本体部の表面を占める割合が高くなり、前記本体部の底部から遠くなるほど、前記図形が前記本体部の表面を占める割合が低くなるように構成されている、請求項１に記載の包装袋。
【請求項３】
前記図形は、前記本体部の底部に近いほど、前記図形の面積が大きくなり、前記本体部の底部から遠くなるほど、前記図形の面積が小さくなるように構成されている、請求項２に記載の包装袋。
【請求項４】
前記図形は、前記本体部の底部に近いほど、各図形の間隔が狭くなり、前記本体部の底部から遠くなるほど、各図形の間隔が広くなるように構成されている、請求項２に記載の包装袋。
【発明の詳細な説明】
【技術分野】
【０００１】
本発明は、包装袋、特に買い物袋に関する。
【背景技術】
【０００２】
買い物袋に使用される包装袋において、袋の内容物によっては、買い物客が内容物を外から見られたくない場合がある。このため、包装袋には内容物の視認性を低下させる工夫が要求される。このような要求を満たすべく、包装袋の中が外部から見えないようにするために、全面に色が付いた不透明ないし半透明の包装袋が提案されている。また、袋の片面に模様を付した包装袋もある（例えば特許文献１）。
【先行技術文献】
【特許文献】
【０００３】
【特許文献１】実用新案登録第３０５３４８７号公報
【発明の概要】
【発明が解決しようとする課題】
【０００４】
しかしながら、包装袋を買い物袋として使用する場合、上記の文献をはじめとする従来の包装袋では、模様を袋の一面に付すか否かおよび模様の種類が考慮されるのみである。したがって、模様が袋の一面に付される場合は、模様が袋に付されない場合に比べて使用するインク量が増加する。このため、インクを使用することによる製造コストの増加が懸念される。また、包装袋を有色にして内容物の視認性を低下させる場合、袋の素材を着色して製造するため、着色を施さずに包装袋を製造する場合に比べて一般的に製造コストが高くなる。
【０００５】
本件開示の技術の一側面は、上記の事情に鑑み、内容物を外部から視認しにくくすることが可能であり、かつ製造コストを好適に抑えることが可能な包装袋を提供することを目的とする。
【課題を解決するための手段】
【０００６】
本件開示の技術の一側面に係る包装袋は、光の少なくとも一部を透過する材質で形成された包装袋であって、内容物を収納する本体部を有し、本体部の表面には模様が付されており、模様は、本体部の底部に近いほど遮光性が高く、本体部の底部から遠くなるほど遮光性が低くなるように構成されている。
【０００７】
また、模様は、所定の図形を構成単位として、本体部の底部に近いほど、図形が本体部の表面を占める割合が高くなり、本体部の底部から遠くなるほど、図形が本体部の表面を占める割合が低くなるように構成されている包装袋としてもよい。
【０００８】
さらに、図形は、本体部の底部に近いほど、図形の面積が大きくなり、本体部の底部から遠くなるほど、図形の面積が小さくなるように構成されている包装袋としてもよい。また、図形は、本体部の底部に近いほど、各図形の間隔が狭くなり、本体部の底部から遠くなるほど、各図形の間隔が広くなるように構成されている包装袋としてもよい。
【０００９】
通常、内容物は包装袋の底部近くに位置するものと考えられる。このため、上記の包装袋によれば、包装袋に付された模様により、包装袋の底部近くに位置する内容物を好適に外部から視認しにくくすることができる。また、包装袋の底部から遠くなるに従って模様に使用されるインク量を減少させることができることで、製造コストを低下させることも
できる。さらに、一般に低コストの無色あるいは白色の素材を用いて包装袋を製造する場合でも、上記の模様により内容物の視認性を充分に低くすることができるため、有色の素材を用いて包装袋を製造する場合に比べて製造コストを抑えることができる。また、包装袋の底部から遠くなるにしたがって内容物の視認性に対する要求が低下する分、模様の意匠性を高めることも可能である。
【発明の効果】
【００１０】
本件開示の技術の一側面によれば、内容物を外部から視認しにくくすることが可能であり、かつ製造コストを好適に抑えることが可能な包装袋を提供することができる。
【図面の簡単な説明】
【００１１】
【図１Ａ】図１Ａは、一実施形態に係る買い物袋の構成を概略的に示す図である。
【図１Ｂ】図１Ｂは、図１ＡのＡ−Ａ線による断面を示す図である。
【図２】図２は、一実施形態に係る買い物袋と従来の買い物袋の売価の一例を示すグラフである。
【図３】図３は、一変形例に係る買い物袋の構成を概略的に示す図である。
【図４】図４は、一変形例に係る買い物袋の構成を概略的に示す図である。
【図５】図５は、一変形例に係る買い物袋の構成を概略的に示す図である。
【図６】図６は、一変形例に係る買い物袋の構成を概略的に示す図である。
【図７】図７は、一変形例に係る買い物袋の構成を概略的に示す図である。
【図８】図８は、一変形例に係る買い物袋の構成を概略的に示す図である。
【図９】図９は、一変形例に係る買い物袋の構成を概略的に示す図である。
【発明を実施するための形態】
【００１２】
以下、実施形態の詳細について、図面を参照しながら説明する。ただし、以下に説明する実施の形態は一例にすぎず、本開示に係る包装袋を以下に説明する具体的構成に限定するものではない。
【００１３】
図１Ａおよび図１Ｂに本実施形態に係る包装袋の一例としての買い物袋の構成を概略的に示す。図１Ｂは、図１ＡのＡ−Ａ線による断面図である。本実施形態において、買い物袋１は、ＨＤＰＥ（High Density Polyethylene）により形成されており、単層フィルム
の透明あるいは半透明の袋である。図１Ａおよび図１Ｂに示すように、買い物袋１は、それぞれ一対の本体部１ａ、把持部１ｃ、マチ１ｇを有するようにＨＤＰＥにより形成されたシートが、上端１ｅおよび下端１ｆにおいて溶着されている。図１Ａには、溶着されたときの溶着部１ｉを示す。
【００１４】
このように製造された買い物袋１は、図１Ａに示すように、本体部１ａ、マチ１ｇ、底部１ｄにより内容物を収納する空間が形成される。買い物袋１のサイズは、一例としていわゆる１２号であり、縦３０８ｍｍ×横１８０ｍｍ、マチ幅１１０ｍｍ、厚み０．０１４ｍｍである。ただし、他の号数のサイズや厚みを採用してもよい。
【００１５】
本体部１ａの開口部１ｂの両側に設けられた一対の把持部１ｃは、買い物客が買い物袋１を持ち運ぶ際に使用する。把持部１ｃは、買い物袋１の上端１ｅの溶着部１ｉと開口部１ｂとの間で開放されているため、買い物客は把持部１ｃに手や腕などを通して買い物袋１を持ち運ぶことができる。また、買い物袋１に入れられた内容物は、本体部１ａの底部１ｄ近くに位置することとなる。
【００１６】
本実施形態において、買い物袋１の本体部１ａの表面には、フレキソ印刷などにより模様２が印刷されている。本実施形態において、模様２の印刷に使用されるインクは、樹脂、トルエンなどの溶剤、着色剤、助剤が混ぜ合わされたものが使用される。なお、インク
は遮光性があるインクであればよく、代わりに、本実施形態で説明する模様２の各円をシールとして作成し、シールを本体部１ａの表面に貼付してもよい。
【００１７】
図１Ａに示すように、模様２は、円を構成単位として、各円が本体部１ａの水平方向（紙面左右方向）に等間隔で配列されることで構成されている。これにより、模様２は、円が単純な繰り返しパターンで配列された模様となるため、複雑な模様を印刷する場合よりも簡易な印刷で、模様２を本体部１ａに印刷することができる。すなわち、本実施形態の買い物袋１を製造する際の印刷コストを抑えることができると言える。
【００１８】
また、模様２は、底部１ｄに近くなるほど、円の半径が大きくなって面積が大きくなり、左右の隣り合う２つ円の間の隙間が狭くなっている、すなわち、本体部１ａの表面において遮光性を有する部分の割合が高くなる。したがって、買い物袋１の本体部１ａは、模様２によって、底部１ｄに近くなるほど内容物の視認性が下がるように構成されている。また、模様２は、底部１ｄから遠くなるほど、すなわち開口部１ｂに近くなるほど、円の半径が小さくなって面積が小さくなり、左右の隣り合う円の間隔が広くなっている。すなわち、本体部１ａの表面において遮光性を有する部分の割合が低くなる。したがって、買い物袋１の本体部１ａは、模様２によって、底部１ｄから遠くなるほど内容物の視認性が上がるように構成されている。
【００１９】
また、図１Ａには、買い物袋１の一方の本体部１ａの一面に模様２が付されている状態を示しているが、他方の本体部１ａの表面にも同様に模様２が付されていてもよい。さらに、２つの本体部１ａの各表面に付される模様２は、それぞれ異なる模様を採用して構成してもよい。
【００２０】
図２に、本実施形態において製造された買い物袋１のサイズごとの計画売価の一例であるグラフを示す。図２のグラフには、本実施形態において製造される買い物袋１（図中「買い物袋１（本願）」）の（計画）売価と、袋全体が不透明の買い物袋（図中「買い物袋（有色）」）の売価と、袋全体が半透明であり本体部の全面に模様が印刷されている買い物袋（図中「買い物袋（全面印刷）」）の売価を示す。なお、袋全体が不透明の買い物袋と袋全体が半透明であり本体部の全面に模様が印刷されている買い物袋が、内容物が外部から見えにくい仕様の従来の買い物袋の一例である。また、図２のグラフには、各袋とも、サイズ１２号の買い物袋１を１００枚１セットで販売する場合の売価を示す。図２のグラフに示すように、同じ販売単位では、本実施形態の買い物袋１を製造販売した場合、上記の従来の買い物袋に比べて、より安価に製造および販売することができると言える。
【００２１】
本実施形態では、買い物袋１に入れられた内容物の位置を想定して、上記のように模様２が構成されている。このため、模様２のデザインは、底部１ｄから遠くなるほど遮光性が低くなる分だけ、意匠性の自由度が高くなるように構成することができる。さらに、図１Ａに例示するように、模様２は、円を構成単位として、本体部１ａの底部１ｄに近くなるほど遮光性を有する部分の割合が高くなるように円が配列され、底部１ｄから遠くなるほど遮光性を有する部分の割合が低くなるように円が配列されている。このため、本実施形態の包装袋によれば、本体部１ａの一面に、遮光性を有する部分の割合が同等であるように円が配列された模様を印刷する場合に比べて、印刷に使用するインクの量を減らすことができ、より安価に包装袋を製造することができる。
【００２２】
例えば、調剤薬局では、処方箋に基づいて薬が調剤され、調剤された薬は薬袋に入れられる。一般に薬袋は、袋の一方の面が印刷面として用いられ、他方の面は無地である。そこで、本実施形態において上記の通り製造した包装袋に、薬袋の印刷面が包装袋の印刷面側になり、薬袋の無地面が包装袋の無地面側になるように、薬袋が袋入れされるようにする。これにより、本実施形態の包装袋によって、薬袋の印刷面に記載されている情報は外
部から視認されにくくなる。またこの場合、包装袋の片面に模様が印刷されていればよいため、本実施形態の包装袋を採用することで、薬袋を入れる包装袋の両面に模様を印刷する場合よりも製造コストを抑えることもできる。
【００２３】
以上が本実施形態に関する説明であるが、本願発明における包装袋の構成は、本発明の技術的思想と同一性を失わない範囲内において種々の変更が可能である。例えば、上記の説明では、模様２を、円を構成単位として配列する構成としたが、別の形を構成単位として採用してもよい。また、例えば模様２を１つの円とし、当該円を、底部１ｄに近くなるほど遮光性が高くなり、開口部１ｂに近くなるほど遮光性が低くなるように、色相、明度および彩度をそれぞれ調整して印刷してもよい。
【００２４】
また、上記の買い物袋１はＨＤＰＥを用いて製造しているが、ＬＤＰＥ（Low Density Polyethylene）やポリプロピレンなどその他の素材を用いてもよい。さらに、例えば、上記の買い物袋１を、把持部１ｃを有しない構成としてもよいし、把持部１ｃを本体部１ａとは別体として設ける構成としてもよい。
【００２５】
次に、上記の実施形態の変形例について説明する。なお、以下に説明する変形例は、互いに組み合わせたり、上記の実施形態と組み合わせたりすることができる。また、以下の変形例において、上記の実施形態と同様の構成には同一の符号を付し、詳細な説明は省略する。
【００２６】
図３〜９は、上記の実施形態における変形例として、上記の模様２の代わりに使用可能な模様の一例を示す。なお、各図に示す買い物袋１において、図１ＡのＡ−Ａ線による断面と同様の断面は図１Ｂと同じになるため、図示を省略する。図３に示すように、色（色相、明度、彩度の少なくとも１つ。以下同じ。）が異なる２種類の円を交互に配列し、本体部１ａの底部１ｄに近くなるほど円の半径が大きくなり、底部１ｄから遠くなるほど円の半径が小さくなるように構成してもよい。また、図４に示すように、色が異なる２種類の円を互いに重なるように配列し、重なり合った２つの円を構成単位として、上記と同様に、本体部１ａの底部１ｄに近くなるほど円の半径が大きくなり、底部１ｄから遠くなるほど円の半径が小さくなるように構成してもよい。
【００２７】
また、図５に示すように、色が異なる２種類の円を、円の半径をランダムに変えて、底部１ｄに近くなるほど遮光性を有する部分、すなわち円が占有する部分の割合が大きくなり、底部１ｄから遠くなるほど円が占有する部分の割合が小さくなるように構成してもよい。また、図６に示すように、図５に例示した模様２のうち、いずれか１種類の色の円の代わりに三角形を用いて、図５に示す模様と同様に構成してもよい。なお、円が占有する部分の割合は、円の半径、すなわち円の面積を変化させることで調整してもよいし、円の数を変化させることで調整してもよい。
【００２８】
上記の変形例では、模様２の構成単位となる図形を、底部１ｄに近くなるほど図形が占有する部分の割合が大きくなり、底部１ｄから遠くなるほど図形が占有する部分の割合が小さくなるように構成した。しかし、図７に示すように、底部１ｄに近くなるほど遮光性が高くなり、底部１ｄから遠くなるほど遮光性が低くなるように色が調整された単色のグラデーションを用いて模様２を構成してもよい。
【００２９】
また、図８に示すように、模様２の構成単位となる図形を円とし、各円を水平方向（紙面左右方向）に等間隔に並べるとともに、底部１ｄに近くなるほど水平方向における各円の間隔を短くし、底部１ｄから遠くなるほど水平方向における各円の間隔を長くする構成としてもよい。
【００３０】
さらに、図９に示すように、模様２の構成単位となる図形を、水平方向（紙面左右方向）に延伸する長方形とし、当該長方形を垂直方向（紙面上下方向）に並べる構成としてもよい。この場合、当該長方形は、底部１ｄに近くなるほど互いの長方形の間隔が短くなるように配列される。
【００３１】
また、上記の図１Ａ、１Ｂ、３、４に示す例の説明では、本体部１ａの表面に構成単位の図形が互いに等間隔で印刷されており、各構成単位の円の半径を変えることで、本体部１ａにおいて遮光性を有する部分の割合を変化させている。ただし、例えば、円の半径を変えずに、構成単位の図形を、底部１ｄに近くなるほど間隔を短くして並べ、底部１ｄから遠くなるほど間隔を長くして並べても、上記と同様に底部１ｄに近くなるほど遮光性が高くなり、内容物が外部から視認されにくくなり、かつ印刷コストを好適に抑えた買い物袋を製造することができる。
【符号の説明】
【００３２】
１    買い物袋
１ａ    本体部
１ｂ    開口部
１ｃ    把持部
１ｄ    底部
２    模様
【図１Ａ】
2016132486.tif 000003
【図１Ｂ】
2016132486.tif 000004
【図２】
2016132486.tif 000005
【図３】
2016132486.tif 000006
【図４】
2016132486.tif 000007
【図５】
2016132486.tif 000008
【図６】
2016132486.tif 000009
【図７】
2016132486.tif 000010
【図８】
2016132486.tif 000011
【図９】
2016132486.tif 000012